(57)【要約】      （修正有）【課題】装着者の背中に張設した保水シートと被服の背部の内面との間に、送風装置から送風される空気が流通する流路を形成し、気化熱を利用して被服内を冷却する空調被服を提供する。【解決手段】水分を保持する保水シート６と、背部の内面に保水シート６を重ねて張設可能な被服２と、被服２に取り付けられ、外気を被服内に送風する送風装置３と、を有し、送風装置３を駆動することにより少なくとも被服２の内面と保水シート６の間に送風装置３からの空気を流通させる送風路を形成する。【選択図】図１
0003213394.tif 000002
【実用新案登録請求の範囲】
【請求項１】
水分を保持する保水シートと、背部の内面に前記保水シートを重ねて張設可能な被服と、前記被服に取り付けられ、外気を前記被服内に送風する送風装置と、を有し、前記送風装置を駆動することにより少なくとも前記被服の内面と前記保水シートの間に前記送風装置からの空気を流通させる送風路を形成することを特徴とする空調被服。
【請求項２】
請求項１記載の空調被服であって、前記送風装置は背部の下端に配置されて、前記送風路は前記送風装置から前記被服の襟首にかけて形成されることを特徴とする空調被服。
【請求項３】
請求項１または２記載の空調被服であって、前記保水シートは前記被服に着脱自在であることを特徴とする空調被服。
【請求項４】
請求項１乃至３のいずれか記載の空調被服であって、前記保水シートは四方の角を前記被服の内面に固定することにより、張設することを特徴とする空調被服。
【請求項５】
請求項１乃至４のいずれか記載の空調被服であって、前記保水シートは少なくとも装着者側には防水層または隔離層が形成されていることを特徴とする空調被服。
【請求項６】
請求項1乃至５のいずれか記載の空調服であって、前記保水シートは保水シート内の水分を凍結させて使用することを特徴とする空調被服。
【請求項７】
水分を保持する保水シートと、装着者の背中に前記保水シートを張設するように位置決めする固定具と、を有し、前記装着者が内側に外気を送風する送風装置を有する空調被服を着て前記送風装置を駆動させた際に、少なくとも前記空調被服の内面と前記保水シートとの間に前記空調被服の送風装置からの空気を流通させる送風路を形成可能としたことを特徴とする保水シート装着具。
【請求項８】
請求項７記載の保水シートの装着具であって、前記固定具はベルト部と前記ベルト部に一端が固定されるともに、装着者の胸部から背中へ肩越しに回り込む２本のサスペンダー部と、を有し、前記保水シートの上端は、前記サスペンダー部の他端に固定されて張設されることを特徴とする保水シート装着具。
【請求項９】
請求項７または８記載の保水シートの装着具であって、前記保水シートは前記固定具に対し着脱自在であることを特徴とする保水シート装着具。
【請求項１０】
請求項７乃至９のいずれか記載の保水シートの装着具であって、前記保水シートは少なくとも前記装着者側には防水層または隔離層が形成されていることを特徴とする保水シート装着具。
【請求項１１】
請求項７乃至１０のいずれか記載の保水シートの装着具であって、前記保水シートは保水シート内の水分を凍結させて使用することを特徴とする空調被服。
【考案の詳細な説明】
【技術分野】
【０００１】
本考案は、送風装置を有する空調被服の内側に保水シートを配置できるようにし、送風装置からの風を受けた気化熱を利用して服内を冷却することができる、保水シート付の空調被服及び保水シート装着具に関する。
【背景技術】
【０００２】
野外における高温、高湿度の作業環境を改善するため、送風装置により服内に外気を取り入れて、空調被服と身体の間に空気を流通させることにより、作業環境を改善する空調被服が、近年急速に普及してきている。
【先行技術文献】
【特許文献】
【０００３】
【特許文献１】再表2005-63065号
【特許文献２】特開2001-40512号
【０００４】
一般的な空調被服の構成は、特許文献１に開示されるが、被服の背中下部に送風装置を取り付けて汗をかいた装着者に送風装置により風を当てることで、気化熱によって冷却を行うものである。しかし、気化させる水分を装着者の発汗に頼っているため、十分な発汗がないと冷却を効率的に行うことができないという課題があった。
【０００５】
一方で、積極的な水分の提供により気化熱による冷却を行う冷却装置が、特許文献２に開示される。この装置は、タンクから水が供給されて加湿される冷却シートと、送風装置を有し、この冷却シートを作業服内に装着したうえで、送風装置が送る風によって冷却シート内の水分を蒸発させて、その気化熱により作業服内を冷却するものである。
【考案の概要】
【考案が解決しようとする課題】
【０００６】
上記の特許文献２に開示される装置は、送風装置と、二枚のシートに送風路が形成される冷却シートと、冷却シートに対して水を供給する水タンクとを有し、送風装置により冷却シート内の送風路に送風することで冷却シートの水を気化させ、気化熱により低温になった空気を冷却シートの穴から排出して、服内を冷却する構造が開示されている。
【０００７】
しかしながら、このような構造は、冷却シート内に送風装置から空気を流通させる、特別な送風路を設けなければならず、装置自体が複雑になるほか、二枚のシートで構成される冷却シートの内側は完全に乾かすことができず、冷却シート内に残った湿度がカビや雑菌の繁殖環境を作り衛生上も好ましくない場合がある。
【０００８】
そこで、本考案の目的は、被服の内面に重ねるように、保水シートを張設可能な構造とし、被服の内面と保水シートとの間に、送風装置から送風される空気が流通する流路を形成して、簡単な構造で気化熱を利用して冷却する空調被服を提供することにある。
【０００９】
また、本考案の他の目的は、装着者の背中もしくは胸部に保水シートを張設できる保水シートの装着具を提供することで、被服の内面と保水シートとの間に、空調被服の送風装置から送られる空気が流通する送風路を形成可能として、既存の空調被服を利用した、気化熱を利用して冷却する保水シートの装着具を提供することにある。
【課題を解決するための手段】
【００１０】
上記目的を達成するため、本考案の空調被服は、水分を保持する保水シートと、背部の内面に前記保水シートを重ねて張設可能な被服と、前記被服に取り付けられ、外気を前記被服内に送風する送風装置と、を有し、前記送風装置を駆動することにより少なくとも前記被服の内面と前記保水シートの間に前記送風装置からの空気を流通させる送風路を形成することを特徴とする。
【００１１】
また、上記目的を達成するため、本考案の保水シートの装着具は、水分を保持する保水シートと、装着者の背中に前記保水シートを張設するように位置決めする固定具と、を有し、前記装着者が内側に外気を送風する送風装置を有する空調被服を着て前記送風装置を駆動させた際に、少なくとも前記空調被服の内面と前記保水シートとの間に前記空調被服の送風装置からの空気を流通させる送風路を形成可能としたことを特徴とする。
【考案の効果】
【００１２】
本考案の空調被服によれば、被服の背部内面に張設した保水シートに水を含ませるだけで、保水シートと被服の背部の内面に形成された送風路を通過する風によって気化熱による冷却を行うことができる。
【００１３】
また、本考案の保水シートの保持具によれば、装着者の背中に簡単に保水シートを張設することができ、従来型の空調被服をその上から着ることで、保水シートと空調被服の背部の内面に形成された送風路を通過する風によって気化熱による冷却を行うことができる。
【図面の簡単な説明】
【００１４】
【図１】本考案の第一実施形態の空調被服の構造を示す説明図。
【図２】本考案の同実施形態の、空調被服による保水シートの張設状態を示す斜視図。
【図３】本考案の同実施形態の、空調被服による保水シートの張設状態を示す側面図。
【図４】本考案の第二同実施形態の、装着具による保水シートの張設状態を示す斜視図。
【図５】本考案の同実施形態の、装着具による保水シートの張設状態を示す側面図。
【図６】保水シートの構造のバリエーションを示す説明図。
【考案を実施するための形態】
【００１５】
＜第一実施形態＞
本考案の第一実施形態を図１乃至図３を用いて説明する。図１(ａ)は、内側を開いた状態の空調被服の正面図であり、同図(ｂ)は、その背面図である。また、図２及び図３は、空調被服を装着者が着た状態における、空調被服の保水シートの張設状態を示す斜視図及び側面図である。
【００１６】
図１(ａ)(ｂ)に示すように、空調被服１は、長袖付の被服であるジャケット部２と、ジャケット部２の背部２ａの下部に取り付けられた左右の送風装置たる電動式のファン３とを有する。
【００１７】
ジャケット２は、胸部２ｂの開放部としてファスナー２ｃを装着しており、装着者がジャケット２を着てファスナー２ｃを閉めることで、襟首２ｄ、袖口２ｅを除き空調被服２の服内はある程度の気密を保てる状態となる。
【００１８】
ジャケット２の襟首２ｄには、左右の２点に掛け渡されるメッシュ帯２ｆが取り付けられており、メッシュ帯２ｆの幅は襟首２ｄ表面の２点間の距離より短く、襟首ｄの２点が寄せられてトンネル２ｇが形成される。
【００１９】
ファン３は、縦長の円筒形状を有し、下端の空気取入口３ａを、ジャケット２に開口された取付け穴２ｈに嵌めこむように取り付けることで、ジャケットの背部２ａの外面に露出する。また、ファン３の上端の空気排出口３ｂは、ジャケット２の背部２aの内面と、保水シート６との間に位置するように固定される。
【００２０】
また、ジャケット２の背部２ａの下部内面には、それぞれのファン３の位置決め部たるファン固定具４を左右に有しており、このファン固定具４はファン３の、装着者側側面を固定するフラップ４ａと、フラップ４ａの上端を吊り上げるテンションベルト４ｂにより構成されている。
【００２１】
ファン３内には不図示の電動モータと回転羽根を有している。そして、上述した固定フラップ装着者がジャケット２を着た際には、前述のファン固定具４の働きにより、電動モータの駆動軸が倒立し、ファン３の空気取入口３ａが下方を、空気排出口３ｂが上方を向くように構成されている。また、ジャケット２の内面には、バッテリー３ｃを保持するポケット２ｈを有しており、コードを介して左右のファン３、３にモータ駆動用の電力を供給している。
【００２２】
後述する保水シート６を、ジャケット２の背面に固定するための留め具５は、ベルト５ａとその一端に固定されたクリップ５ｂから構成される。そして、ジャケット２の背部２aの裏面には、上部左右に留め具５Ａ、５Ｂ、下部左右に留め具５Ｃ、５Ｄが位置するように、ベルト５ａの他端を縫製により固定している。
【００２３】
本実施形態の保水シート６は、例えばポリエステル製の吸水性に優れた素材で作られたものであって、具体的には商品名「シェイクアンドクール」(米国Coolcore社製)等の、保水層・蒸発層を有する多層構造のタオル素材を使用することが好適である。同保水シート６は、矩形のシートであって、中央で上下に二つ折にして使用する。そして、この状態において、保水シート６の上方左右端６ａ、６ｂを留め具５Ａ、５Ｂのクリップ５ｂに、下方左右端６ｃ、６ｄを留め具５Ｃ、５Ｄのクリップ５ｂにより固定することで、ジャケット２の背部２ａの内側に重ねて張設することができる。
【００２４】
保水シート６は、ジャケット２から取り外した状態で、水に浸した後、軽く絞るなどし、または霧吹きするなどして水分を含ませることができ、空調被服１の着用時には、水分を含ませた状態でジャケット２に取り付けて使用する。このとき、冷却スプレーを吹きかけたり、冷凍庫で凍らせたりすることで、保水シート６に含まれる水分を氷結させることにより、湿り気を減少させ、さらに冷却効果を高めることができる。なお、使用後は、ジャケット２から取り外し、洗濯、乾燥ののちに、収納することができる。
【００２５】
次に、図２及び図３を用いて、保水シート６の張設状態及び本考案の作用を説明する。
【００２６】
上述したように、装着者Ｘが本実施形態の空調被服１を着ると、ジャケット２の背部２ｂに張設した保水シート２が装着者Ｘの背面に位置する。
【００２７】
この状態で、装着者Ｘの腰部に位置するファン３を駆動させると、ジャケット２の外気が空気取り入口３ａから取り込まれ、空気排出口３ｂからジャケット２内に流通する。そして、この空気は、ジャケット２を膨らませたうえで、少なくとも保水シート６とジャケット２の背部２aとの間に、送風路７が形成されることになる。
【００２８】
そして、ファン３から供給される空気は、送風路７を通過し、ジャケット２の襟首２ｄに、メッシュ帯２ｆにより形成されたトンネル２ｇを抜けて、装着者Xの首筋から外へ抜けていく。この際、送風路７に面する保水シート６の表面６ｅに含まれる水分が揮発し、気化熱を奪って、保水シート６の、ひいてはジャケット２の内部の温度を低下させる。
【００２９】
保水シート６は四方６ａ〜６ｄを留め具５Ａ〜５Ｄで固定した状態で、ジャケット２が空気圧で膨らむと、留め具５Ａ〜５Ｄ間の各距離も広がるため、保水シート６も四方に張力が掛かってピンと張った状態で張設される。このため、風に接する面が大きくなり、気化熱を効率的に利用することができる。
【００３０】
なお、保水シート６の材質によっては、含まれる水分が過剰に表面に染み出る可能性があり、この場合は、水分による装着者の不快感を改善するために、水を通しにくい防水ベスト８を装着したうえで、空調被服１を着ることもできる。
【００３１】
以上説明したように、本実施形態によれば、ジャケット２に設けた４つの留め具５Ａ〜５Ｄにより、保水シート６をジャケット２の背部２a内面に簡単に張設することができる。また、これら留め具５Ａ〜５Ｄにより保水シート６をジャケット２に対して着脱自在に構成したので、保水シート６は、これを外して、単独で加湿、乾燥、洗濯等を容易に行うことができる。
【００３２】
なお、保水シート６のジャケット２への固定方法は、クリップ５ｂに限られることなく、ホックやボタン、あるいは面ファスナーなどを用いて行っても良い。また、保水シート６は、着脱できずジャケットに固定式としてもよい。さらに、ファン３は次の第二実施形態に示すような、回転軸が水平になるディスク型のファンでもよい。
＜第二実施形態＞
【００３３】
本考案の第二実施形態を図４及び図５を用いて説明する。これら図は、保水シート装着具を装着した状態における、保水シートの張設状態を示す斜視図及び側面図である。本実施形態は、第一実施形態の保水シートの作用効果は同様であるものの、空調被服そのものではなく、別体の空調被服の内側に装着することができる、別体タイプの保水シート装着具である。
【００３４】
保水シート装着具11は、第一実施形態において説明した保水シート６と、保護シート６を装着者Ｘの背面に固定する固定具15とを有する。この装着具11は、装着者Ｘの腰もしくは胸に掛けまわすベルト部15ａと、このベルト部15ａの正面側(装着者の前側)の左右に一端が固定される、２本のサスペンダー部15ｂ、15ｂとから構成される。サスペンダー部の他端には、保水シート６の上端を着脱自在に固定するクリップ15ｃを有している。
【００３５】
保水シート６は、第一実施形態と同様の構成であるため、説明を省略する。
【００３６】
ベルト部１５は不図示のバックルを有し、装着者Ｘがバックルを着脱することで、腰または胸に装着する。そして、サスペンダー部15ｂ、15ｂのクリップ15ｃ、15ｃに、水分を含ませた状態の保水シート６の一端の両側６ａ、６ｂを取り付ける。
【００３７】
そして、サスペンダー部15ｂ、15ｂを保水シート６とともに、装着者Ｘの正面側から背面側に、肩越しに折り返し、保水シート６が装着者Ｘの背中に位置するように位置決めする。保水シート６の下端６ｃ、６ｄはベルト部15ａの下に挟んで固定する。この作業により、保護シート６の上端６ａ、６ｂと下端６ｃ、６ｄを装着者Ｘの背中に張設することができる。
【００３８】
この状態で、装着者Ｘは、市販されている一般的な空調被服51を上から着こむ。一般的な空調被服５１は、ジャケット52と、その背部下方に取り付けられる、２つのファン53、53を有する。
【００３９】
このファン53は、外気を空気取入口53aから取り込み、空気排出口53ｂからジャケット52内部に送風するが、第一実施形態のファン３と異なり、回転羽根を駆動する電気モータの駆動軸は装着者Ｘの背中に対して直角に設けられている。しかしながら、空気がジャケット52内部に流入して気圧が高くなると、ジャケット52の襟首52ｄから空気が抜け、両者の間に送風路７が形成される。
【００４０】
第一実施形態と同様に、保水シート６の表面６ｅは、送風路７に露出するため、この部分を通過する空気によって表面６ｅに含まれる水分が揮発し、気化熱を奪って、保水シート６の、そしてジャケット52の内部の温度を低下させる。
【００４１】
なお、保水シート６の水分による装着者の不快感を改善するために、水を通しにくい防水ベスト８を装着具11の内側に着てもよいことは、第一実施形態と同様である。
【００４２】
この保水シート装着具11を用いれば、容易に保水シート６を装着者Ｘの背中に位置決めすることができ、また、既存の空調被服に保水シートの冷却効果を簡単に付加することができる。
【００４３】
なお、本実施形態では保水シート装着具11をベルト部15ａとサスペンダー部15ｂからなる固定具15で構成したが、これに限られるものではなく、例えばメッシュ状のベストの背中に保水シート６を固定するような構造としてもよい。また、保水シート６の固定具15への着脱手段はクリップに限られることなく、ホックやボタン、あるいは面ファスナーなどを用いて行っても良い。
＜保水シートのバリエーション＞
【００４４】
図６を用いて、保水シートのバリエーションを説明する。これらは、装着者側に防水層または隔離層を設けた保水シートであって、水分を含んだ保水シートが装着者に接触することによる不快感を改善するものである。
【００４５】
同図(ａ)に示す保水シート16は、第一及び第二実施形態の保水シートと同様な保水部16ａと、水分を通さない防水層たる防水部16ｂを、それぞれの上端を縫製して構成したものである。防水部16ｂには、塩ビシートなどを用いることができる。
【００４６】
同図(ｂ)に示す保水シート26は、第一及び第二実施形態の保水シートと同様な保水部26ａの裏面に水分を通さない防水部26ｂを重ねて、一枚のシートとして構成したものである。防水部26ｂは上記と同様に塩ビシートであってもよく、また、保水部26ａの裏面を撥水加工して形成してもよい。
【００４７】
同図(ｃ)に示す保水シート36は、第一及び第二実施形態の保水シートと同様な保水部36ａと、保水部36ａが装着者Ｘに直接接触することを防止する隔離層36ｂを、それぞれの上端を縫製して構成したものである。隔離層36ｂとしては、例えば目の粗いメッシュシートなどを用いることができる。
【００４８】
以上説明したように、本考案の実施形態の空調被服もしくは保水シート装着具によれば、容易にかつ確実に保水シートを背部に張設することができる。また、これらの実施形態によれば、保水シートが、他の部材に覆われることなく露出するために、収納時の洗濯、乾燥、乾燥しやすく、衛生管理を容易に行うことができる。
【符号の説明】
【００４９】
１    空調被服
２    ジャケット(被服)
２ａ  背部
２ｄ  襟首
３    ファン
４    ファン固定具
５    留め具
６    保水シート
７    送風路
８    防水ベスト
11    保水シート装着具
13    ファン(送風装置)
15    固定具
15ａ  ベルト部
15ｂ  サスペンダー部
16    防水層付の保水シート
26    防水層付の保水シート
36    隔離層付の保水シート
51    空調被服(別体のもの)
52    ジャケット
53    ファン(送風装置)
【図１】
0003213394.tif 000003
【図２】
0003213394.tif 000004
【図３】
0003213394.tif 000005
【図４】
0003213394.tif 000006
【図５】
0003213394.tif 000007
【図６】
0003213394.tif 000008
【手続補正書】
【提出日】平成29年9月5日(2017.9.5)
【手続補正１】
【補正対象書類名】実用新案登録請求の範囲
【補正対象項目名】全文
【補正方法】変更
【補正の内容】
【実用新案登録請求の範囲】
【請求項１】
水分を保持する保水シートと、背部の内面に前記保水シートを重ねて張設可能な被服と、前記被服に取り付けられ、外気を前記被服内に送風する送風装置と、を有し、前記送風装置を駆動することにより少なくとも前記被服の内面と前記保水シートの間に前記送風装置からの空気を流通させる送風路を形成することを特徴とする空調被服。
【請求項２】
請求項１記載の空調被服であって、前記送風装置は背部の下端に配置されて、前記送風路は前記送風装置から前記被服の襟首にかけて形成されることを特徴とする空調被服。
【請求項３】
請求項１または２記載の空調被服であって、前記保水シートは前記被服に着脱自在であることを特徴とする空調被服。
【請求項４】
請求項１乃至３のいずれか記載の空調被服であって、前記保水シートは四方の角を前記被服の内面に固定することにより、張設することを特徴とする空調被服。
【請求項５】
請求項１乃至４のいずれか記載の空調被服であって、前記保水シートは少なくとも装着者側には防水層または隔離層が形成されていることを特徴とする空調被服。
【請求項６】
請求項1乃至５のいずれか記載の空調被服であって、前記保水シートは保水シート内の水分を凍結させて使用することを特徴とする空調被服。
【請求項７】
水分を保持する保水シートと、装着者の背中に前記保水シートを張設するように位置決めする固定具と、を有し、前記装着者が内側に外気を送風する送風装置を有する空調被服を着て前記送風装置を駆動させた際に、少なくとも前記空調被服の内面と前記保水シートとの間に前記空調被服の送風装置からの空気を流通させる送風路を形成可能としたことを特徴とする保水シート装着具。
【請求項８】
請求項７記載の保水シート装着具であって、前記固定具はベルト部と前記ベルト部に一端が固定されるともに、装着者の胸部から背中へ肩越しに回り込む２本のサスペンダー部と、を有し、前記保水シートの上端は、前記サスペンダー部の他端に固定されて張設されることを特徴とする保水シート装着具。
【請求項９】
請求項７または８記載の保水シート装着具であって、前記保水シートは前記固定具に対し着脱自在であることを特徴とする保水シート装着具。
【請求項１０】
請求項７乃至９のいずれか記載の保水シート装着具であって、前記保水シートは少なくとも前記装着者側には防水層または隔離層が形成されていることを特徴とする保水シート装着具。
【請求項１１】
請求項７乃至１０のいずれか記載の保水シート装着具であって、前記保水シートは保水シート内の水分を凍結させて使用することを特徴とする保水シート装着具。